(57)【特許請求の範囲】
【請求項１】
ロータリーディスクタンブラー錠の少なくとも１枚のロータリーディスクタンブラーをコンスタンブラーとして指定し、各コンスタンブラーに解錠切欠とコンス切欠とを形成し、コンストラクションキー装置作動時コンスキーを鍵孔に挿入したときにはコンス切欠がロッキングバーの内側縁に整合するように、コンストラクションキー装置解除時合鍵が挿入されたときには解錠切欠がロッキングバーに整合するように構成すると共に、コンス切欠を充填体で封止することにより、コンストラクションキー装置を解除するようにした解除機構を有し、この解除機構は、ロッキングバーの近傍に、仕切板を貫通する態様でこれと平行に延在し、内側に係止溝を形成した少なくとも１本のコンスバーを、角度位置を違え、かつ長さ方向に移動可能に配設すると共に、これを一方向に付勢し、一方、内筒を構成する仕切板の内コンスバーの係止溝近傍の少なくとも一枚をコンス仕切板として指定し、このコンス仕切板を内筒回動時におけるロッキングバーの移動方向と同じ方向に移動可能に案内すると共に、ロッキングバーと係合する方向に付勢し、以て内筒回動時ロッキングバーと一体的に移動するようにし、また、このコンス仕切板にコンスバーの係止溝と係合する係止部を形成し、コンストラクションキー装置作動時この係止部と係止溝とを係合させ、以てコンスバーを作動位置に係止するようにし、他方、コンストラクションキー装置作動時他方の仕切板と交差するコンスバーの部分の内側に充填体収納溝を形成すると共に、この充填体収納溝に前記コンス切欠に係入できる大きさでコンスバーの内側縁から内方に突出する充填体を収納し、以てコンストラクションキー装置作動時内筒が回転してコンス仕切板がコンスバーを解放したときでもこの充填体とコンスタンブラーとの係合によりコンスバーを作動位置に係止するようにし、また、鍵孔への合鍵の挿入時、コンス切欠と整合する充填体をコンス切欠に係入させることによりコンスキーの使用を不能にするようにしたことを特徴とするロータリーディスクタンブラー錠のコンストラクションキー装置。
【請求項２】
コンスキー及び合鍵のコンス仕切板と交差する部分の側端縁に、傾斜端縁を有する逃げ切欠を形成したことを特徴とする、請求項１に記載のロータリーディスクタンブラー錠におけるコンストラクションキー装置。
【発明の詳細な説明】
【０００１】
【発明の属する技術分野】
この発明は、ロータリーディスクタンブラー錠におけるコンストラクションキー装置（以下単にコンス装置という）に係り、特に、特別な工具を用いることなく合鍵で解除できるようにしたコンス装置に関する。
【０００２】
【従来の技術】
本出願人は、先に、特願２００１−３１６８８５を以て、従来の所謂レバータンブラー錠（ロータリーディスクシリンダ錠）を改良した新規なロータリーディスクタンブラー錠を提案した。
【０００３】
このロータリーディスクタンブラー錠は、図１に示すように、中央部に鍵孔を包囲し得る大きさの鍵挿通孔１を形成した環状のロータリーディスクタンブラー２を支軸３に揺動可能に軸支すると共に、自由端部外側端縁に解錠切欠４を形成し、一方、鍵挿通孔１の開口端縁に、先端の移動軌跡が鍵孔５に挿入された合鍵６のブレードの平面部又は端縁部と干渉する係合突起７を一体に突設し、各ロータリーディスクタンブラー２をこの係合突起７が合鍵６に近接する方向に付勢すると共に、常態ではバックアップピン８に係止し、他方、これらのタンブラー群の係合突起の夫々が鍵孔５に挿通された合鍵６のブレードに形成された対応する窪み９と係合したとき、各ロータリーディスクタンブラーの解錠切欠４をロッキングバー１１の内側縁と整合させるものである。
【０００４】
一方、コンストラクションキー装置とは、工事中はコンストラクションキー（工事専用鍵）という特殊な鍵で各住戸の錠前の施解錠を行い、工事完了後に、コンストラクションキー装置を解除すれば、コンストラクションキーは使用不能となり、以後施主又は入居者が使う住戸鍵（合鍵）だけが使えるようになる装置のことで、工事中における施工者の錠前施解錠作業及び鍵管理業務の合理化を図り、更に施主又は入居者のより一層の安全を確保するために案出されたものである。
【０００５】
尚、ここで合鍵とは、所謂スペアキー（予備の鍵）のことではなく、一の錠前を解錠するための正規の鍵形状を有する鍵をいうものとする。
【０００６】
【発明が解決しようとする課題】
この発明は、前記特願２００１−３１６８８５に係るロータリーディスクタンブラー錠に適用し得る新規なコンス装置を提供することを目的としている。
【０００７】
【課題を解決するための手段】
上記の目的を達成するため、請求項１に記載の発明は、ロータリーディスクタンブラー錠の少なくとも１枚のロータリーディスクタンブラーをコンスタンブラーとして指定し、各コンスタンブラーに解錠切欠とコンス切欠とを形成し、コンストラクションキー装置作動時コンスキーを鍵孔に挿入したときにはコンス切欠がロッキングバーの内側縁に整合するように、コンストラクションキー装置解除時合鍵が挿入されたときには解錠切欠がロッキングバーに整合するように構成すると共に、コンス切欠を充填体で封止することにより、コンストラクションキー装置を解除するようにした解除機構を有し、この解除機構は、ロッキングバーの近傍に、仕切板を貫通する態様でこれと平行に延在し、内側に係止溝を形成した少なくとも１本のコンスバーを、角度位置を違え、かつ長さ方向に移動可能に配設すると共に、これを一方向に付勢し、一方、内筒を構成する仕切板の内コンスバーの係止溝近傍の少なくとも一枚をコンス仕切板として指定し、このコンス仕切板を内筒回動時におけるロッキングバーの移動方向と同じ方向に移動可能に案内すると共に、ロッキングバーと係合する方向に付勢し、以て内筒回動時ロッキングバーと一体的に移動するようにし、また、このコンス仕切板にコンスバーの係止溝と係合する係止部を形成し、コンストラクションキー装置作動時この係止部と係止溝とを係合させ、以てコンスバーを作動位置に係止するようにし、他方、コンストラクションキー装置作動時他方の仕切板と交差するコンスバーの部分の内側に充填体収納溝を形成すると共に、この充填体収納溝に前記コンス切欠に係入できる大きさでコンスバーの内側縁から内方に突出する充填体を収納し、以てコンストラクションキー装置作動時内筒が回転してコンス仕切板がコンスバーを解放したときでもこの充填体とコンスタンブラーとの係合によりコンスバーを作動位置に係止するようにし、また、鍵孔への合鍵の挿入時、コンス切欠と整合する充填体をコンス切欠に係入させることによりコンスキーの使用を不能にするようにしたことを特徴とする。
【０００８】
また、請求項２に記載の発明は、コンスキー及び合鍵のコンス仕切板と交差する部分の側端縁に、傾斜端縁を有する逃げ切欠を形成したことを特徴とする。
【０００９】
【実施例】
以下、この発明の実施例を図面を参照して説明する。
図２及び図３において符号１２は外筒を、符号１３は内筒を夫々示し、外筒１２には前記１１と係合する断面Ｖ字形のカム溝１４（図２参照）が形成されている。
【００１０】
そして、ロッキングバー１１は、図示しないロッキングバーばねによってこのカム溝１４に弾圧されるように、換言すれば図２で下方に付勢されている。
【００１１】
一方、内筒１３は、従来周知のレバータンブラー錠のように、複数枚の仕切板１５、１５を一対のリテーナ１６、１６（図２参照）により相互に一体的に結合し、外端にキーガイド１７を、内端にテールプラグ１８（図３参照）を装着してなる。
【００１２】
そして、一の仕切板１５と隣接する他の仕切板１５との間に形成されたスロット（隙間）１９に前記ロータリーディスクタンブラー２（図１参照）が収納され、支軸３によって揺動可能に軸支されると共に、タンブラーばね２１（図１参照）の弾力により、係合突起７が合鍵６のブレードに近接する方向に付勢されていることは前記した通りである。
【００１３】
そして、図２及び図３に示すように、ロッキングバー１１の近傍に、これと平行に延在する一対のコンスバー２２、２２がロッキングバー１１と角度位置を違えて配設されている。
【００１４】
図示の実施例では、一対のコンスバー２２、２２はロッキングバー１１に関し対称的な角度位置に配置されているが、このことは本発明の必須の構成要件ではなく、また、後述するように、コンスバーは少なくとも１本有ればよい。
【００１５】
このコンスバー２２は、内筒を構成する仕切板１５、１５を貫通する態様で長さ方向、すなわち内筒軸線方向に移動可能に案内されており、その内側の外端寄りの部分（図３で左方上側）には、後述するコンス仕切板と係合する係止溝２３が形成されている。
【００１６】
また、このコンスバー２２は、図３に示すように、圧縮コイルばねとしてのコンスバーばね２４の弾力により一定方向（図示の実施例では室内側である右方）に付勢されているが、コンス作動時にはコンス仕切板と係合して作動位置に係止されている。
【００１７】
一方、この発明においては、少なくとも１枚のロータリーディスクタンブラー（図３に示す実施例では６枚）がコンスタンブラー２５として指定されている。
【００１８】
このコンスタンブラー２５は、コンストラクションキー装置作動時には、工事中にのみ使用される合鍵とは異なるコンスキー２６（図３参照）の使用を可能にし、工事完了後コンストラクションキー装置が解除されたときには、合鍵のみの使用を可能にするものである。
【００１９】
このコンスタンブラー２５の自由端部外側縁２７は、図２に示すように、支軸３を中心とする円弧の一部をなすものであるが、この自由端部外側縁２７には、その解錠切欠４（図１参照）との間にロッキングバー１１及びコンスバー２２と同じ角度間隔を保って、コンス切欠２８が形成されている。
【００２０】
このコンス切欠２８の大きさは解錠切欠４と同じであり、解錠切欠４に関しコンスタンブラー２５の付勢方向（図２で時計方向）とは反対方向に形成されている。
【００２１】
したがって、鍵孔に合鍵が挿入されたとき、解錠切欠４がロッキングバー１１の内側縁に整合することは当然であるが、同時にコンス切欠２８がコンスバー２２と角度的に整合する（図８参照）。
【００２２】
また、コンスキー２６のコンスタンブラー２５に対応する窪みの深さ、換言すれば、例えば図２に示すコンスタンブラー２５に対応するコンスキーの窪みの深さは、コンスキー２６を合鍵に挿入したとき、コンス切欠２８がロッキングバー１１の内側縁に整合するように設定されている（図６参照）。
【００２３】
したがって、コンスキー２６を鍵孔に挿入したとき、全コンスタンブラー２５、２５及びコンスタンブラーではないロータリーディスクタンブラー２、２がロッキングバー１１の内側縁に整合するので、工事中使用されるコンスキーによるロータリーディスクタンブラー錠の施解錠が可能になる。
【００２４】
他方、内筒１３を構成する仕切板１５、１５の内、コンスバーの前記係止溝２３付近の少なくとも１枚の仕切板がコンス仕切板２９として指定されている。
【００２５】
図示の実施例におけるコンス仕切板２９は、図３及び図４に示すように、段付で外形が略円形の厚い固定仕切板２９ａと、この固定仕切板２９ａの下方中央部に形成された案内溝２９ｃと填り合う突部（図示せず）を形成した半円形の可動仕切板２９ｂとを有している。
【００２６】
上記した構成により、可動仕切板２９ｂは図４において上下方向、換言すれば内筒回動時におけるロッキングバー１１の移動方向と同じ方向に移動可能に案内されることになる。
【００２７】
また、可動仕切板２９ｂは、圧縮コイルばねとしての仕切板ばね３１、３１の弾力により、図４で下方、すなわち、ロッキングバー１１と係合する方向に付勢されている。
【００２８】
更にまた、可動仕切板２９ｂの図４における下端部には、ロッキングバー１１の内側縁と係合する付番しない切欠が形成されており、この切欠とロッキングバー１１との係合により、可動仕切板２９ｂは内筒回動時ロッキングバーと一体的に内筒半径方向に移動する。
【００２９】
また、図３及び図４に示すように、可動仕切板２９ｂの下端部には係止部３２が形成されており、コンストラクションキー装置作動時にはこの係止部３２がコンスバーの係止溝２３と係合して、コンスバー２２を図３に示す作動位置に係止する。
【００３０】
なお、可動仕切板２９ｂの中央部の切欠の形状は、図４に示すように、ロッキングバー１１がカム溝１４と係合しているときには鍵孔５と干渉しないように設定されているが、内筒が回動してロッキングバー１１が外筒内周面に乗り上がったときには、鎖線で示すように鍵孔の下端部を一部覆うような形状である。
【００３１】
一方、コンスタンブラー２５を挟む一対の仕切板１５、１５の内、コンスバーの付勢方向における一方の仕切板、例えば図３に符号Ａで示すコンスタンブラーの右側に位置する仕切板１５には、図５に示すように、棚部３３が形成されている。
【００３２】
この棚部３３は、図５に示すように、中央部にロッキングバー１１を案内するための凸字形の案内切欠３４を形成し、この案内切欠３４の左右にコンスバー２２が貫通するコンスバー穴３５、３５が開口した厚肉部である。
【００３３】
そして、棚部３３の上面は、下に凸の円弧をなし、前記コンスタンブラーの自由端部外側端縁２６との間に僅かな隙間を保ちつつこれに沿って延在している。
【００３４】
また、棚部３３の上面は、上記コンスバー穴３５によって切り欠かれているので、上記案内切欠３４によるものも含め、合計３ヵ所の矩形の切欠が形成されることになる。
【００３５】
他方、コンストラクションキー装置作動時上記仕切板Ａに対向する他方の仕切板Ｂ（図３参照）と交差するコンスバーの部分の内側には、図３に示すように、断面逆台形の充填体収納溝３６が形成されている。
【００３６】
図示の実施例ではコンスタンブラー２５が６枚有るとしたから、合計６個の充填体収納溝３６が形成されており、各充填体収納溝３６には、例えば鋼球等の充填体３７が収納されている。
【００３７】
この充填体３７の大きさは、前記コンスタンブラーのコンス切欠２８（図２参照）に係入でき、しかも上記仕切板Ａの棚部３３の上面から上方に突出する大きさである（図２及び図６参照）。
【００３８】
なお、通常、これら複数の充填体収納溝３６、３６に夫々充填体３７が収納されているのだが、図示の実施例では、図３に示すように、図面を明瞭にするため１個の充填体しか示されていない。
【００３９】
また、各充填体収納溝３６の両側は開いているが、コンストラクションキー装置作動時この充填体収納溝３６の両側はコンスバー穴３５（図５参照）の内側面に閉塞されているので、充填体３７が充填体収納溝３６から落ちてしまうことはない。
【００４０】
上記のように構成されたこの発明の一実施例によるコンス装置は、図６に示すように工事中コンスキー２６を鍵孔に挿入したときには、各コンスタンブラー２５のコンス切欠２８がロッキングバー１１の内側縁と角度的に整合し、ロータリーディスクタンブラー錠の作動原理により内筒が回動可能になる。
【００４１】
また、コンスタンブラーではない通常のロータリーディスクタンブラー２、２（図３で左方の３枚のタンブラー）に対応するコンスキーのブレードには合鍵と同じ窪みが形成されているので、ロータリーディスクタンブラー２の各解錠切欠４がロッキングバー１１の内側縁と角度的に整合する。
【００４２】
換言すれば、この発明によるコンス装置が作動しているときには、コンスキーによるロータリーディスクタンブラー錠の施解錠が可能である。
【００４３】
この状態で内筒１３を例えば図７に示すように反時計方向に回すと、ロッキングバー１１がカム溝１４を脱して外筒１２の内周面に乗り上がるので、ロッキングバー１１は内筒１３の中心軸方向に移動する。
【００４４】
すると、前記したようにコンス仕切板の可動仕切板２９ｂもロッキングバー１１と一体的に内筒中心軸方向に移動するので、その係止部３２（図３及び図４参照）がコンスバーの係止溝２３から離脱し、このようにしてコンスバー２２はコンス仕切板から解放される。
【００４５】
ちなみに、上記のように可動仕切板２９ｂが内筒中心軸方向に移動するときコンスキー２６、或いは合鍵６のブレードの側端縁と干渉するので、この干渉を避けるため、可動仕切板２９ｂと整合するブレードの側端縁には、傾斜端縁を有する逃げ切欠３８（図３参照）が形成されている。
【００４６】
なお、図３に示すように逃げ切欠３８がブレードの両側端縁に対称的に形成されている理由は、このコンスキー（合鍵）が裏表を逆にして鍵孔に挿入できる所謂リバーシブルキーであるからである。
【００４７】
作動の説明に戻って、内筒の回動に伴ってコンスバー２２はコンス仕切板２９から解放され、前記コンスバーばね２４（図３参照）の弾力によって内方（図３で右方）に移動しようとする。
【００４８】
しかしながら、コンストラクションキー装置作動時には、図３及び図７から明らかなように、コンスバー２２の内面に突出する充填体３７がコンスタンブラー２５の自由端部外側縁２７と干渉するので、コンスバー２２はこの充填体３７を介してコンスタンブラー２５に係止され、内方に移動することができない。
【００４９】
上記のようにしてコンスキーによって解錠されたロータリーディスクタンブラー錠の内筒を施錠方向、或いは解錠方向に回した後例えば同じ角度回し戻してコンスキーを鍵孔から抜けば施解錠操作は終了する。
【００５０】
しかしながら、このときにはコンスバー２２は前記可動仕切板２９ｂとの係合を解かれた状態にあり、コンスバーは前記充填体収納溝３６内における充填体３７の遊び分内方に移動しているので、可動仕切板２９ｂは、その仕切板ばね３１（図４参照）の弾力にも拘らず、係止部３２が係止溝３６の開口端縁に引っ掛かって係止溝中に係入することができない。
【００５１】
そのため、コンスキー或いは合鍵にはそのブレードの側端縁に前記逃げ切欠３８が形成されており、コンスキー２６を鍵孔５から抜くとき、この逃げ切欠の傾斜端縁を可動仕切板２９ｂの鍵孔と係合させる。
【００５２】
すると、これらの間に生じる楔作用により、可動仕切板の係止部３２が強制的にコンスバーの係止溝２３中に押込まれ、可動仕切板２９ｂは図４に示す常態位置に復帰する。
【００５３】
一方、工事が完了して合鍵が居住者に渡され、居住者がこれを鍵孔に挿入すると、図８に示すように、全コンスタンブラー２５、２５の解除切欠４、４がロッキングバー１１の内側縁に整合する。
【００５４】
同時に、前記した構成により、各コンスタンブラー２５のコンス切欠２８がコンスバー２２、換言すればこれに担持された充填体３７と角度的に整合する。
【００５５】
この状態で内筒を例えば半時計方向に回すと、図９に示すように、また、前記したように、ロッキングバー１１が外筒１２の内周面に乗り上がり、これに伴って可動仕切板２９ｂがコンスバー２２を解放する。
【００５６】
すると、コンスバー２２はコンスバーばね２４の弾力によって図３で右方に押動されるが、今度は充填体３７とコンスタンブラーのコンス切欠２８が角度的に整合しているので、前者が後者を潜り抜ける態様でコンスバー２２は内方に移動し、テールプラグ１８に形成された付番しないコンス穴の底面に当接して停止する。
【００５７】
そして、図１０に示すように、コンスバー２２が移動するとき、楔作用により、充填体収納溝３６の傾斜端縁が充填体３７をコンスバーの表面に押し上げる。
【００５８】
図１０に示す状態では、充填体３７はコンス切欠２８内に係入しており、前後をコンス仕切板２９、２９に挟まれ、コンス切欠２８の開口はコンス仕切板の前記棚部３３（図５参照）に閉塞されるので、充填体３７はコンス切欠２８からこぼれ落ちることはない。
【００５９】
なお、図１０では１個の充填体のみが描かれているが、実際には６個の充填体収納溝に収納されていた６個の充填体が夫々対応するコンスタンブラー２５のコンス切欠２８に係入する。
【００６０】
合鍵を用いての施解錠操作後、合鍵を鍵孔から抜くと、図１１に示すように、コンスタンブラー２５はコンスバーばねの弾力により、図２に示す待機角度位置に復帰する。
【００６１】
同時に、図１０に示すように、図３において係止溝２３の左方に位置していた付番しない他の係止溝が可動仕切板２９ｂと整合するに致り、可動仕切板２９ｂは仕切板ばね３１の弾力によりこの係止溝に係入する。
【００６２】
なお、上記付番しない他の係止溝のコンスバー２２の長手方向における位置は一定であるから、可動仕切板はその付勢力のみで図４に実線で示す常態位置に復帰することができる。
【００６３】
そのため、合鍵には前記逃げ切欠３８が形成されているけれども、合鍵を鍵孔から抜くときその傾斜端縁が可動仕切板２９ｂと干渉することはない。
【００６４】
図１１に示す状態は、図２に示すものと比較して、コンス切欠２８に充填体３７が入り込んでいる点が異なる。
【００６５】
したがって、従来用いていたコンスキー２６を鍵孔に挿入してコンス切欠２８をロッキングバー１１の内側縁に整合させたとしても（図６参照）、充填体３７が邪魔をして内筒を回動させることができない。
【００６６】
換言すれば、従来のコンスキー２６が使用できなくなったのであり、すなわちコンストラクションキー装置が解除されたことになる。
【００６７】
なお、図６及び図８に示すように合鍵の窪みの深さがコンスキーのそれより浅いときには、解錠切欠４に関し反時計方向にコンス切欠２８が形成される。
【００６８】
これに対し、合鍵の窪みの深さがコンスキーのそれより深いときには、図１２に示すように、解錠切欠４に関し時計方向にコンス切欠２８が形成されるので、図示の実施例においてはロッキングバー１１の両側にコンスバー２２、２２が配設されている。
【００６９】
【発明の効果】
以上の説明から明らかなように、この発明は、各コンスタンブラーに解錠切欠とコンス切欠とを形成し、コンストラクションキー装置作動時コンスキーを鍵孔に挿入したときにはコンス切欠がロッキングバーの内側縁に整合するように、コンストラクションキー装置解除時合鍵が挿入されたときには解錠切欠がロッキングバーに整合するように構成すると共に、コンストラクションキー装置の解除の切換えをコンスバーに担持された充填体をコンス切欠に充填することにより行い、以後コンスキーを鍵孔に挿入してコンス切欠をロッキングバーに整合させても内筒を回動させることができないようにしたので、ロータリーディスクタンブラー錠のコンストラクションキー装置を提供する、という所期の目的を達成している。
【００７０】
また、合鍵とコンスキーとは外観上相違がないので、シリンダを交換せずに１回だけ別の鍵違いの錠前に転換できる、という機能をこのロータリーディスクタンブラー錠に付与することができる、等種々の効果を奏する。
【図面の簡単な説明】
【図１】  本出願人が先に提案したロータリーディスクタンブラー錠の横断面図。
【図２】  この発明の一実施例によるコンス装置を組込んだロータリーディスクタンブラー錠の断面図で鍵孔に鍵が差込まれていない状態を示す。
【図３】  その縦断面図でコンストラクションキー装置作動時を示す。
【図４】  コンス仕切板の正面図。
【図５】  内筒の仕切板の正面図。
【図６】  図２と同様の断面図で、鍵孔にコンスキーが挿入された状態を示す。
【図７】  図６と同様の断面図で、コンスキーを挿入して内筒を少し回動させた状態を示す。
【図８】  図２と同様の断面図で、鍵孔に合鍵が挿入された状態を示す。
【図９】  図８と同様の断面図で、合鍵を挿入して内筒を少し回動させた状態を示す。
【図１０】  図３と同様の縦断面図で、コンストラクションキー装置が解除された状態を示す。
【図１１】  コンストラクションキー装置解除後合鍵を抜いた状態を示す。
【図１２】  図７と同様の横断面図で、コンスキーの窪みの深さが相違している状態を示す。
【符号の説明】
１  鍵挿通孔
２  ロータリーディスクタンブラー
３  支軸
４  解錠切欠
５  鍵孔
６  合鍵
７  係合突起
８  バックアップピン
９  窪み
１１  ロッキングバー
１２  外筒
１３  内筒
１４  カム溝
１５  仕切板
２２  コンスバー
２３  係止溝
２５  コンスタンブラー
２６  コンスキー
２７  自由端部外側縁
２８  コンス切欠
２９  コンス仕切板
２９ａ  固定仕切板
２９ｂ  可動仕切板
３２  係止部
３３  棚部
３４  案内切欠
３５  コンスバー穴
３６  充填体収納溝
３７  充填体
３８  逃げ切欠
【図１】
0004167839.tif 000002
【図２】
0004167839.tif 000003
【図３】
0004167839.tif 000004
【図４】
0004167839.tif 000005
【図５】
0004167839.tif 000006
【図６】
0004167839.tif 000007
【図７】
0004167839.tif 000008
【図８】
0004167839.tif 000009
【図９】
0004167839.tif 000010
【図１０】
0004167839.tif 000011
【図１１】
0004167839.tif 000012
【図１２】
0004167839.tif 000013